(57)【要約】【課題】汚れた弁体，弁座部分を直接触らずに掃除することのできる洗浄機能付き排水栓装置を提供する。【解決手段】操作部１０を操作することによって、排水出口部に設けられた排水栓７を開閉する排水栓装置において、排水栓の弁体７ｂと操作部１０とが連結手段９ｂで連結され、操作部１０の機能筒体１０２および押圧ボタン１０３を回転させることにより、弁体７ｂが弁座７ａに圧接された状態で摺動回転して汚れを擦り落とせるように構成する。【選択図】図３
2008196239.tif 000002
【特許請求の範囲】
【請求項１】
操作部を操作することによって排水出口部に設けられた排水栓を開閉する排水栓装置において、
該排水栓の弁体と前記操作部とが連結手段で連結され、前記操作部を回転させることによって前記弁体が回転するように構成したこと
を特徴とする洗浄機能付き排水栓装置。
【請求項２】
前記操作部または前記排水栓にスラストロック機構が備えられていることを特徴とする請求項１に記載の洗浄機能付き排水栓装置。
【発明の詳細な説明】
【技術分野】
【０００１】
本発明は、排水栓の汚れた弁体および弁座を直接触らずに掃除することのできる洗浄機能付き排水栓装置に関するものである。
【背景技術】
【０００２】
従来、特許文献１に開示されているように、シンクの底部に、網カゴを収納したゴミ収納容器が設けられ、このゴミ収納容器の底部にポップアップ式排水栓装置が設けられたものが存在し、排水栓装置の栓蓋によって網カゴの蓋体を昇降させ、ゴミ収納容器の開閉を行えるように構成されている。
【特許文献１】実開平４−５３７０２号公報
【発明の開示】
【発明が解決しようとする課題】
【０００３】
上記特許文献１に開示されているような排水栓装置において、排水栓の弁体や弁座には汚れが付着し、それにより止水不良になることがあるが、止水不良が発生した場合には、汚れた排水栓の弁体を取り外し、弁体，弁座の両方を手洗い掃除する必要があり、汚れた排水栓を直接手で触って掃除しなければならないという問題点があった。
【課題を解決するための手段】
【０００４】
本発明は上記従来の問題点に鑑み案出したものであって、汚れた排水栓を直接手で触ることなく掃除することのできる洗浄機能付き排水栓装置を提供するものであり、その請求項１は、操作部を操作することによって排水出口部に設けられた排水栓を開閉する排水栓装置において、該排水栓の弁体と前記操作部とが連結手段で連結され、前記操作部を回転させることによって前記弁体が回転するように構成したことである。
【０００５】
また、請求項２は、前記操作部または前記排水栓にスラストロック機構が備えられていることである。
【発明の効果】
【０００６】
本発明は、操作部を操作することによって排水出口部に設けられた排水栓を開閉する排水栓装置において、該排水栓の弁体と前記操作部とが連結手段で連結され、前記操作部を回転させることによって前記弁体が回転するように構成したことにより、排水栓の弁座に対し弁体が当接して排水栓が閉まっている状態で、操作部を回転させることにより、連結手段を介して弁体が弁座に対し摺動回転し、摺動回転により、弁体および弁座に付着した汚れが擦り落とされることとなり、汚れた弁体を取り外すことなく、操作部を回転させることで良好に排水栓の汚れを掃除できて、排水栓の止水不良をなくすことができるものとなり、汚れた排水栓に直接触れる必要がないため掃除が楽で衛生的なものとなる。
【０００７】
また、前記操作部または前記排水栓にスラストロック機構が備えられていることにより、スラストロック機構を構成するバネの付勢力により、排水栓の弁座に対し弁体を圧接させることができ、この状態で操作部を回転させて、弁体を回転させることにより、弁体および弁座に付着した汚れを確実に擦り落とすことができるものとなる。
【実施例】
【０００８】
以下、本発明の実施例を図面に基づいて説明する。
図１は、流し台の概略配置構成図であり、流し台１のカウンター２には、シンク３が設けられており、また、カウンター２上にはシンク３内に給水可能に給水栓４が設けられている。
シンク３の底面には、上面が開放されたゴミ収納容器５が設けられており、このゴミ収納容器５内には、上方へ取り出し可能に網カゴ６が収納されている。このゴミ収納容器５の底面に排水栓７が設けられており、排水栓７に連通して下流側にトラップ８が配管されている。
また、排水栓７には、レリース９を介してカウンター２に設けられた操作部１０が連結されている。この操作部１０を操作することで排水栓７を開閉させることができるものである。
【０００９】
図２は、開状態の排水栓７と操作部１０の要部縦断面構成図であり、排水栓７には、ゴミ収納容器５の底側で、上面側へ拡径した弁座７ａが形成されており、この弁座７ａに対し昇降する弁体７ｂを備えており、弁体７ｂの底側外周には、弁座７ａに摺接するパッキン１１が設けられている。
なお、レリース９は、保護管９ａ内に連結手段としてのレリースワイヤー９ｂが内装されており、レリースワイヤー９ｂの先端は弁体７ｂの底側に固定されており、また保護管９ａの先端は、弁座７ａの下方の固定部７ｃに固定されている。また、排水栓７からトラップ８に連通する水路７ｄが設けられている。
【００１０】
一方、操作部１０は、上端をカウンター２に面一状にして固定された外ケース１０１内に、上面が開放された筒状の機能筒体１０２が、外周に突出した鍔部１０２ａを介して上下動不能かつ水平面内で回転可能に設けられ、この機能筒体１０２内には、機能筒体１０２の内周に形成されている縦溝内に押圧ボタン１０３の外周に突出されたガイド部が嵌まり込んで、押圧ボタン１０３が機能筒体１０２に対して回転不能かつ上下動可能に設けられている。
この押圧ボタン１０３の下端側の接合部材１０４に、レリースワイヤー９ｂの上端側が接合固定されており、レリースワイヤー９ｂは機能筒体１０２および外ケース１０１を貫通して垂下されており、またレリース９の保護管９ａの上端は外ケース１０１の底面に固定されている。
【００１１】
なお、押圧ボタン１０３の下面と機能筒体１０２の底面間には、縦方向にバネ１０６が設けられており、このバネ１０６により押圧ボタン１０３は上方へ付勢されている。また、機能筒体１０２と押圧ボタン１０３には、図示しない鋸歯状の複数の歯が形成された公知のスラストロック機構が組み込まれており、押圧ボタン１０３を１回下方へ押すと、図２のように弁体７ｂが上昇して排水栓７が開状態に保持され、もう一度押圧ボタン１０３を押すと、図３のように弁体７ｂが弁座７ａに圧接されて排水栓７が閉状態に保持されるように構成されている。
【００１２】
図２の状態から押圧ボタン１０３を下方側へ押すと、スラストロック機構の一部であるバネ１０６により、図３のように押圧ボタン１０３は上方へ突出状態となり、この状態ではバネ１０６の付勢力により、排水栓の弁体７ｂは弁座７ａに圧接されるものである。
この図３の状態で、押圧ボタン１０３の上面に係止ピン１０５ａを介して収納状態に係止されているハンドル１０５を、上方へ起こして、押圧ボタン１０３からハンドル１０５を起立させ、この状態でハンドル１０５を手で持ち回転させることで、押圧ボタン１０３が回転し、これに伴い機能筒体１０２も外ケース１０１内で回転され、回転力はレリースワイヤー９ｂを介して弁体７ｂに伝達され、弁体７ｂが弁座７ａに対して摺動回転されることとなり、この摺動回転により、弁体７ｂのパッキン１１付近および弁座７ａの上面付近に付着している汚れを擦り落とすことができ、汚れが擦り落とされて弁体７ｂは弁座７ａに対して良好に圧接されて、止水不良が解消されるものである。
【００１３】
なお、図３の状態では、バネ１０６の付勢力により弁体７ｂは強固に弁座７ａに圧接されているため、摺動回転で確実に汚れが擦り落とされることとなり、適宜ハンドル１０５を起こして押圧ボタン１０３および機能筒体１０２を回転させて、弁体７ｂおよび弁座７ａに付着する汚れを擦り落とすことができ、従来のように弁体７ｂを取り外して弁体７ｂおよび弁座７ａを手洗いして掃除する必要がなく、汚れた排水栓７を直接手で触れることなく良好に掃除することができ、衛生的なものとなる。
なお、この図３の排水栓７の閉止状態において、シンク３内に水を溜めることにより、ゴミ収納容器５，網カゴ６を浸け置き洗いすることができるものである。
【００１４】
なお、本例では、操作部１０は、バネ１０６を備えたスラストロック機構付きのものを例示しているが、バネ１０６を有さない構造の操作部１０の場合には、弁体７ｂの自重により弁体７ｂが弁座７ａに圧接され、回転されることで汚れが擦り落とされるように構成しても良い。
また、本例では、連結手段としてレリースワイヤー９ｂを例示しているが、操作部１０の回転を弁体７ｂへ伝えることができれば、他の構造を採用しても良い。
また、本例では、台所の流し台のシンク３の排水栓７を例示しているが、浴槽の底面あるいは洗面台の洗面ボウルの排水口に設置される排水栓においても同様な構造を採用して、汚れた排水栓を直接手で触ることなく良好に掃除できるように構成することができる。
【図面の簡単な説明】
【００１５】
【図１】流し台のシンクに設けられた排水栓の概略配置構成図である。
【図２】開状態における排水栓および操作部の拡大縦断面構成図である。
【図３】閉状態の排水栓および操作部の拡大縦断面構成図である。
【符号の説明】
【００１６】
１  流し台
２  カウンター
３  シンク
４  給水栓
５  ゴミ収納容器
６  網カゴ
７  排水栓
７ａ  弁座
７ｂ  弁体
７ｃ  固定部
７ｄ  水路
８  トラップ
９  レリース
９ａ  保護管
９ｂ  レリースワイヤー
１０  操作部
１１  パッキン
１０１  外ケース
１０２  機能筒体
１０２ａ  鍔部
１０３  押圧ボタン
１０４  接合部材
１０５  ハンドル
１０５ａ  係止ピン
１０６  バネ
【図１】
2008196239.tif 000003
【図２】
2008196239.tif 000004
【図３】
2008196239.tif 000005